(57)【特許請求の範囲】
【請求項１】
ダイヤル錠の錠機構を解錠、施錠するためのダイヤルであって、結合される第１、第２の環状部材よりなり、第１の環状部材は外周面に複数の符号が表され、一側面の開口端縁には各符号の表示位置に矩形状の突縁部、隣り合う突縁部間に凹縁部が形成されており、第２の環状部材は、ダイヤル操作板の一側面に第１の環状部材の内面形状に適合する外面形状のボス部が一体形成され、前記ダイヤル操作板の外周には第１の環状部材の前記凹縁部と一致する幅の指懸かり部が複数突設されるとともに、隣り合う指懸かり部間に第１の環状部材の前記突縁部と一致する幅の谷部が形成されており、第１の環状部材の各凹縁部は前記ダイヤル操作板の各指懸かり部に噛み合わせ、第１の環状部材の各突縁部は前記ダイヤル操作板の各谷部に噛み合わせるようにして、第１の環状部材内に第２の環状部材のボス部を嵌合してなるダイヤル。
【請求項２】
前記の第１の環状部材の外周面に表される各符号は、前記突縁部にわたって表されている請求項１に記載のダイヤル。
【請求項３】
前記ダイヤル操作板の各指懸かり部は、先端に向けて細くなっている請求項１に記載のダイヤル。
【請求項４】
前記の第１の環状部材の内周面と第２の環状部材のボス部の外周面には、前記ボス部を第１の環状部材内へ嵌入することにより抜け止め状態で咬み合う咬合部が設けられている請求項１に記載のダイヤル。
【請求項５】
請求項１〜４のいずれかに記載のダイヤルが前面プレート上に縦一列に複数個配置されたダイヤル錠であって、前記前面プレートは、各ダイヤルが配置される位置に窓孔が形成され、各窓孔は矩形状の窓部と窓部上に長孔部とを有しており、各ダイヤルは、前記窓部の内側に第１の環状部材の外周面の符号が位置し、前記長孔部からは第２の環状部材のダイヤル操作板の指懸かり部が突出するように回動自由に設けられているダイヤル錠。
【発明の詳細な説明】
【技術分野】
【０００１】
この発明は、ロッカーの扉などに組み付けられるダイヤル錠に用いられるダイヤルと、そのダイヤルが組み込まれたダイヤル錠とに関する。
【背景技術】
【０００２】
従来の典型的なダイヤル錠は、図９に示すように、ダイヤル錠の錠機構が組み込まれた胴体部１００に前面プレート１０１が被せられて構成されている。前面プレート１０１上には、前記錠機構を施錠、解錠するのに操作される複数個のダイヤル１０２と、カムプレート１０３を正逆各方向へ回動するのに操作されるつまみ１０４とが配置されている。
【０００３】
各ダイヤル１０２の外周面には複数の符号（図示例の場合、０〜９の１０個の数字）が等角度位置に表されており、隣り合う符号間には突条よりなる指懸かり部１０５が設けられている。つまみ１０４は、前記錠機構が施錠状態のとき回動操作が規制され、解錠状態のとき回動操作が許容される（例えば、特許文献１参照）。
【０００４】
前記錠機構は、予め決められた解錠符号列を記憶するための記憶機構を備えている。ここで、「解錠符号列」とは、解錠のためのつまみ操作を許容する４個のダイヤル１０２の符号の並びをいう。例えばロッカー使用者は、ロッカーに荷を出し入れするに際し、ダイヤル操作により解錠符号列を横一列に整列させて錠機構を解錠した後、扉を開くためにつまみ操作を行ってカムプレート１０３を受け金具１０６より外す。次に、ロッカーに荷を出し入れした後、扉を閉じるためにつまみ操作を行ってカムプレート１０３を受け金具１０６に掛け、その後、ダイヤル操作により解錠符号列を崩して錠機構を施錠する。
【０００５】
前記前面プレート１０１は、各ダイヤル１０２が設けられる位置に長方矩形状の窓孔１０７が形成されている。各ダイヤル１０２は、窓孔１０７に３個分の符号が前面プレート１０１上に突出するように回動操作可能に設けられている。
【０００６】
この種のダイヤル錠には、同図に示す例のように、４個のダイヤル１０２を横一列に配置した横長タイプの他、４個のダイヤル１０２を縦一列に配置した縦長タイプがある。縦長タイプのダイヤル錠が例えば貸ロッカーに用いられた場合、各窓孔１０７に３個の符号が突出した状態で出現するため、隣のロッカー使用者は解錠符号列を盗み見ることが可能である。
【０００７】
上記の問題を解消し得るダイヤルとして、外周面に複数の符号が表された円環状の符号表示板の側面に回動操作のための円板状のダイヤル操作板を一体化した構造のものもある（例えば、特許文献２参照）。この特許文献２に記載のダイヤルは、窓孔の内側に符号表示板の符号が位置し、窓孔からはダイヤル操作板が突出するように配置されるもので、符号は窓孔より突出しないので、隣のロッカー使用者は解錠符号列を盗み見ることができない。
【先行技術文献】
【特許文献】
【０００８】
【特許文献１】特開２０１０−１６３８１２号公報
【特許文献２】特開２０００−１４５２１６号公報
【発明の概要】
【発明が解決しようとする課題】
【０００９】
しかしながら、特許文献２に記載のダイヤルを前記縦長タイプのダイヤル錠に用いたとき、ダイヤル錠の組み付け位置が目の高さより低い場合、ダイヤルを上方から仰ぎ見ることになるため、ダイヤル操作板が視界を遮る結果、ダイヤルの符号が見づらいという問題があり、符号を見るのに腰をかがめるなどの必要がある。
【００１０】
この発明は、上記の問題に着目したなされたもので、ダイヤルを上方から仰ぎ見る場合であっても、符号が見づらいということがなく、符号を見るのに腰をかがめるなどの必要がないダイヤルを提供することを目的とする。
また、この発明が他に目的とするところは、符号を大きく表すことが可能な構成とすることにより、符号が一層見やすいダイヤルを提供することにある。
【課題を解決するための手段】
【００１１】
この発明によるダイヤルは、ダイヤル錠の錠機構を解錠、施錠するためのダイヤルであって、結合される第１、第２の環状部材よりなる。第１の環状部材は外周面に複数の符号が表され、一側面の開口端縁には各符号の表示位置に矩形状の突縁部、隣り合う突縁部間に凹縁部が形成されている。第２の環状部材は、ダイヤル操作板の一側面に第１の環状部材の内面形状に適合する外面形状のボス部が一体形成され、前記ダイヤル操作板の外周には第１の環状部材の前記凹縁部と一致する幅の指懸かり部が複数突設されるとともに、隣り合う指懸かり部間に第１の環状部材の前記突縁部と一致する幅の谷部が形成されている。第１の環状部材の各凹縁部は前記ダイヤル操作板の各指懸かり部に噛み合わせ、第１の環状部材の各突縁部は前記ダイヤル操作板の各谷部に噛み合わせるようにして、第１の環状部材内に第２の環状部材のボス部を嵌合している。
【００１２】
上記した構成のダイヤルでは、第１の環状部材は外周面に複数の符号が表され、第１の環状部材の一側面の開口端縁には各符号の表示位置に矩形状の突縁部を形成し、各突縁部を第２の環状部材のダイヤル操作板の各谷部に噛み合わせるようにしたから、ダイヤルを上方から仰ぎ見る場合であっても、谷部を通して符号が見え、ダイヤル操作板が符号を見づらくするということはない。また、符号が表される第１の環状部材と、ダイヤル操作板を備える第２の環状部材とを別個に製作して結合するので、結合前に第１の環状部材に符号を印刷することができ、しかも、第１の環状部材に符号の印刷に障害となるような突出部分が存在しないので、符号の印刷が容易である。このため、印刷領域を広くとることができ、符号を大きく表すことが可能である。
【００１３】
この発明の好ましい実施態様においては、前記の第１の環状部材の外周面に表される各符号は、前記突縁部にわたって表されている。
この実施態様によると、突縁部にわたって符号が表されているので、符号を一層大きく表すことができ、符号が一層見やすいものとなる。
【００１４】
この発明のさらに好ましい実施態様においては、前記ダイヤル操作板の各指懸かり部は先端に向けて細くなっている。
この実施態様によると、谷部が上拡がりとなるので、ダイヤルを上方から仰ぎ見る場合に、視界が広がり、谷部を通して符号が一層見やすくなる。
【００１５】
この発明の好ましい実施態様においては、前記の第１の環状部材の内周面と第２の環状部材のボス部の外周面には、前記ボス部を第１の環状部材内へ嵌入することにより抜け止め状態で咬み合う咬合部が設けられている。
この実施態様によると、第１の環状部材内へ第２の環状部材のボス部を嵌入することで第１の環状部材と第２の環状部材とが抜け止め状態で咬み合って一体化されるので、結合作業が容易である。
【００１６】
この発明によるダイヤル錠は、上記したいずれかの態様のダイヤルが前面プレート上に縦一列に複数個配置されたものである。前記前面プレートは、各ダイヤルが配置される位置に窓孔が形成されている。各窓孔は矩形状の窓部と窓部上に長孔部とを有している。各ダイヤルは、前記窓部の内側に第１の環状部材の外周面の符号が位置し、前記長孔部からは第２の環状部材のダイヤル操作板の指懸かり部が突出するように回動自由に設けられている。
【００１７】
この発明によるダイヤル錠においては、複数のダイヤルを上方から仰ぎ見る場合であっても、ダイヤル操作板の谷部を通して符号が見えるので、ダイヤル操作板が符号を見づらくするということがない。
【発明の効果】
【００１８】
この発明によれば、ダイヤルを上方から仰ぎ見る場合であっても、符号が見づらいということがなく、符号を見るのに腰をかがめる必要がない。また、符号を大きく表すことが可能であり、符号が一層見やすいダイヤルが得られる。
【図面の簡単な説明】
【００１９】
【図１】この発明の一実施例であるダイヤル錠の外観を示す斜視図である。
【図２】図１のダイヤル錠の外観を示す正面図である。
【図３】この発明の一実施例であるダイヤルの外観を示す側面図である。
【図４】図３のＡ−Ａ線に沿う断面図である。
【図５】図３のダイヤルを分解して示す斜め上方からの斜視図である。
【図６】図３のダイヤルを分解して示す斜め下方からの斜視図である。
【図７】ダイヤル錠の錠機構に用いられるロックギヤを示す正面図である。
【図８】図７のロックギヤの側面図である。
【図９】従来のダイヤル錠を示す正面図である。
【発明を実施するための形態】
【００２０】
図１および図２は、この発明のダイヤル４が組み込まれたダイヤル錠１の外観を示している。
図示のダイヤル錠１は、ロッカーの扉などに組み付けられる縦長タイプのダイヤル錠であって、直方体をなす合成樹脂製の胴体部１０の中空内部に、図示しないダイヤル錠の錠機構（以下、単に「錠機構」という。）とシリンダ錠３０とが組み込まれるとともに、胴体部１０の前面の開放部分に合成樹脂製の前面プレート２が嵌め込まれている。
なお、図示のダイヤル錠は、図１および図２に示された向き（縦向き）で扉に組み付けられるもので、前面プレート２の側を前、胴体部１０の側を後、円筒状のつまみ３が設けられている側を下、その反対側を上とする。
【００２１】
前面プレート２のつまみ３が配置される位置には、前面プレート２の前面より突出する円筒状の筒壁（図示せず）が一体形成され、つまみ３はこの筒壁上に筒壁を周回ガイドとして回動操作可能に被せられている。前面プレート２の４個のダイヤル４が配置される位置には、前面プレート２の前面よりわずかに盛り上がった帯状の台部２１が上下方向に一体形成されている。４個のダイヤル４は前面プレート２の台部２１の下方の図示しない作動軸上に正逆各方向に回動自由に支持されている。台部２１には４個の窓孔２２が上下方向へ等間隔に開設されており、各窓孔２２の位置に各ダイヤル４が回動操作可能に配置されている。
【００２２】
胴体部１０の内部の４個の窓孔２２にわたる位置に前記錠機構が組み込まれている。また、つまみ３が被せられた前記筒壁の内側にシリンダ錠３０が組み込まれている。図中、３１はシリンダ錠３０の内筒３２の端面に設けられた鍵の挿入口であり、この挿入口３１を備えた内筒３２の端面をつまみ３の開口部３３に臨ませている。鍵の挿入口３１より内筒３２内へ鍵（マスターキー）を挿入すると、シリンダ錠３０が解錠し、鍵と一体に内筒３２を回すと、たとえ錠機構が施錠状態であっても、内筒３２と一体にカムプレート１１が回動し、扉を開放することが可能である。
【００２３】
解錠符号列は錠機構中の記憶機構１２（後述する）に記憶されている。４個のダイヤル４を回動操作して解錠符号列を整列させると、錠機構は解錠状態となり、つまみ３を回動操作してカムプレート１１をシリンダ錠３０の外筒（図示せず）と一体に回動することができる。カムプレート１１は、胴体部１０の後面に１８０度の角度範囲にわたり正逆各方向に回動可能に設けられており、扉が設置される壁面の側に取り付けられた受け金具（図示せず）に係脱する。４個のダイヤル４を回動操作して解錠符号列を崩すと、錠機構は施錠状態となり、つまみ３を回動操作することができなくなる。
【００２４】
前面プレート２に設けられた各窓孔２２は、矩形状の窓部２３と、窓部２３上の直線状の長孔部２４とを連続させたものである。窓孔２２の窓部２３に前面プレート２の内側に位置するダイヤル４に表された符号を臨ませ、また、長孔部２４からはダイヤル４に設けられたダイヤル操作板６０の指懸かり部６１を突出させている。
【００２５】
図３〜図４は、この発明の一実施例であるダイヤル４の構成を示している。図示例のダイヤル４は、合成樹脂製の第１の環状部材５と合成樹脂製の第２の環状部材６とをそれぞれの中心軸ｃ１，ｃ２を一致させて側面同士を結合して一体化したものである。
第１の環状部材５は、外周面の等角度位置に符号として０〜９の１０個の数字がそれぞれ表されている。なお、符号は必ずしも数字である必要はなく、アルファベットや記号などであってもよい。第１の環状部材５は一定の幅と一定の厚みを有しており、外周面は複数の符号が一列に等間隔で表される符号表示面５０となっている。また、内周面は第２の環状部材５の第１のボス部７と嵌合する嵌合面５１となっている。第１の環状部材５の一側面、すなわち、第２の環状部材６が嵌め合わせる側の側面の開口端縁には、各符号の表示位置に合わせて矩形状の突縁部５２が一体形成されている。この突縁部５２によって符号の表示領域が広げられ、各符号は符号表示面５０から突縁部５２にかけて大きく表されている。そして、隣り合う突縁部５２，５２間は矩形状の凹縁部５３となっている。
【００２６】
第２の環状部材６は、板状のダイヤル操作板６０の一側面に第１のボス部７が、他側面に第２のボス部７０が、それぞれ一体に形成されている。第１のボス部７は第１の環状部材５の内面形状に適合する外面形状を有している。第１の環状部材５の内周面と第２の環状部材６の第１のボス部７の外周面には、第１のボス部７を第１の環状部材５内へ嵌合することにより抜け止め状態で咬み合う咬合部８ａ，８ｂが設けられている。
【００２７】
この実施例では、第１の環状部材５の内周面の対角位置と第２の環状部材６の第１のボス部７の外周面の対角位置とにそれぞれ咬合部８ａ，８ｂを形成しているが、咬合部８ａ，８ｂの個数は２個に限らず、３個以上であってもよい。
一方の咬合部８ａは、第１の環状部材５の内周面に形成される爪板８０により構成され、他方の咬合部８ｂは、第２の環状部材６の第１のボス部７の外周面に形成される２本の突条ガイド８２と、突条ガイド８２，８２間に設けられる係合穴８３とで構成されている。爪板８０は径方向に弾性を有し、先端に抜止め用の鉤状部８１を内向きに備えている。第１の環状部材５内に第２の環状部材６の第１のボス部７を挿入したとき、爪板８０が突条ガイド８２，８２間に案内されて外方へ弾性変形し、その復元力で爪板８０の先端の鉤状部８１が係合穴８３に係合する。
【００２８】
ダイヤル操作板６０の外周には、第１の環状部材５の凹縁部５３と一致する幅ｄ１の指懸かり部６１が等角度間隔に複数突設されており、隣り合う指懸かり部６１，６１間には第１の環状部材５の突縁部５２と一致する幅ｄ２の谷部６２がそれぞれ形成されている。図示例のダイヤル操作板６０の指懸かり部６１は、指が引っ掛かり易くするために、先端に向けて細くなっているが、指懸かり部６１の形状はこれに限られるものではない。
【００２９】
第２の環状部材６の第２のボス部７０の外周面には、１０個の凹面部７１が等角度位置に連続して形成され、隣り合う凹面部７１，７１間は凸面部７２となっている。第２のボス部７０の外周面の対角位置に、図３に示すように、合成樹脂製の板バネ部材７３，７３の頭部７３ａが当接しており、凹面部７１、凸面部７２、および板バネ部材７３，７３によりダイヤルの間欠送り機構が構成されている。板バネ部材７３，７３の頭部７３ａが凹面部７１に当接した状態のとき、ダイヤル４はその角度を保持して定位する。ダイヤル４を回動させて板バネ部材７３の頭部７３ａが凸面部７２に乗り上がると、板バネ部材７３は外方へ弾性変形しており、その復元力によってダイヤル４を正逆いずれかの方向へ微小角度変位させる。
【００３０】
第２の環状部材６の第１のボス部７の内周面には、図７及び図８に示すロックギヤ９の外周面に形成された突子列９０とともに解錠符号の記憶機構１２を構成する溝列７４が形成されている。溝列７４は符号数に一致する数の嵌合溝７５を等角度間隔で一周配置してなる。一方、ロックギヤ９の突子列９０はいずれの嵌合溝７５とも嵌合可能な嵌合突子９１を等角度間隔で符号数だけ一周配置してなる。突子列９０と溝列７４との噛み合い角度位置、すなわち、ロックギヤ９に対するダイヤル４の嵌合角度位置に応じて解錠符号列を構成する符号を１０通り記憶することが可能である。
【００３１】
第１の環状部材５と第２の環状部材６とは中心軸ｃ１，ｃ２を一致させて側面同士が一体に結合されるもので、図３に示されるように、第１の環状部材５の各凹縁部５３は第２の環状部材６のダイヤル操作板６０の各指懸かり部６１に噛み合わせ、第１の環状部材５の各突縁部５２は第２の環状部材６のダイヤル操作板６０の各谷部６２に噛み合わせるようにして、第１の環状部材５内へ第２の環状部材６の第１のボス部７を嵌合している。これによって、第１の環状部材５と第２の環状部材６の側面同士が互いに噛み合わせ状態で一体化される。
【００３２】
なお、図７において、９２，９３は錠機構を構成する凸子摺動溝であり、解錠符号列が整列しているときは、前記作動軸の軸周面に突設された凸子（図示せず）の位置と凸子摺動溝９２，９３の位置とが揃い、凸子の凸子摺動溝９２，９３への進入が可能な状態となる。一方、解錠符号列が整列していないとき、前記作動軸の軸周面に突設された凸子（図示せず）の位置と凸子摺動溝９２，９３の位置とが位置ずれし、凸子の凸子摺動溝９２，９３への進入が不能な状態となる。なお、上記の錠機構および記憶機構１２は公知であり（例えば特許文献１参照）、ここでは詳細な説明を省略する。
【００３３】
上記した構成のダイヤル４では、第１の環状部材５は外周面の等角度位置に０〜９の１０個の符号がそれぞれ表され、第２の環状部材６が嵌め合わされる側の側面の開口端縁には各符号の表示位置に矩形状の突縁部５２を形成し、各突縁部５２を第２の環状部材６のダイヤル操作板６０の各谷部６２に噛み合わせているので、ダイヤル４を上方から仰ぎ見る場合であっても、谷部６２を通して符号が見え、ダイヤル操作板６０が符号を見づらくするということはない。したがって、符号を見るのに腰をかがめるなどの必要はない。さらに、ダイヤル操作板６０に形成した指懸かり部６１は、先端に向けて細くなっているので、谷部６２は上拡がりとなって視界が広がり、谷部６２を通して符号が一層見やすくなる。
【００３４】
また、符号が表される第１の環状部材５と、ダイヤル操作板６０を備える第２の環状部材６とを別個に製作して結合するので、その結合前に第１の環状部材５に符号を印刷することができ、しかも、第１の環状部材５に符号の印刷に障害となるような突出部分が存在しないので、符号の印刷が容易であり、このため、印刷領域を広くとることができ、符号を大きく表すことが可能である。また、符号は突縁部５２にわたって表されているので、符号を一層大きく表すことができ、符号が一層見やすいものとなる。
【００３５】
なお、上記の実施例は、４個のダイヤル４を縦並びに設け、その下方につまみ３を配置した構成のものであるが、この発明は、これに限らず、ダイヤル４の数が異なるもの、さらには、ダイヤル４とつまみ３とが横並びに配列されているものなど、種々の態様のものにも実施することができる。
【００３６】
さらに、上記の実施例では、解錠符号列は固定されており、必要が生じたとき、ロッカー提供者が解錠符号列の変更が可能なように胴体部１０の裏側に解錠符号列を変更するための操作部（図示せず）が設けられているが、この発明はこれに限らず、ロッカー使用者において解錠符号列を自由に設定できる構成のダイヤル錠にも適用できる。
【符号の説明】
【００３７】
１    ダイヤル錠
２    前面プレート
４    ダイヤル
５    第１の環状部材
６    第２の環状部材
７    第１のボス部
８ａ，８ｂ  咬合部
２２  窓孔
２３  窓部
２４  長孔部
５２  突縁部
５３  凹縁部
６０  ダイヤル操作板
６１  指懸かり部
６２  谷部
【図１】
0006545599.tif 000002
【図２】
0006545599.tif 000003
【図３】
0006545599.tif 000004
【図４】
0006545599.tif 000005
【図５】
0006545599.tif 000006
【図６】
0006545599.tif 000007
【図７】
0006545599.tif 000008
【図８】
0006545599.tif 000009
【図９】
0006545599.tif 000010